(57)【要約】      （修正有）【課題】素早い取り出しと収納を可能にし、更に携帯端末を保護と共に携行できる携帯端末用ケースを提供する。【解決手段】端末用ケース１の背面５の高さを前面６より高くし、携帯端末挿入口の前方側が後方側よりも低くなる設計にする。また、背面に携帯端末挿入口を覆うふた部又はベルト部を連接する。そして、携帯端末用ケースは、合成ゴムの片面又は両面に布地を貼り合せた多層構造の生地を用いて成形する。更に携帯端末用ケース１に、カラビナ２を備える。【選択図】図１
0003171775.tif 000002
【実用新案登録請求の範囲】
【請求項１】
携帯端末機を収納して携行できる携帯端末用ケースにおいて、背面の高さを前面より高くすることで、携帯端末挿入口の前方側が後方側よりも低くなっていることを特徴とする携帯端末用ケース。
【請求項２】
前記背面に携帯端末挿入口を覆うふた部が連接されていることを特徴とする請求項1に記載の携帯端末用ケース。
【請求項３】
前記背面に携帯端末挿入口の一部を覆うベルト部が備わっていることを特徴とする請求項1に記載の携帯端末用ケース。
【請求項４】
前記携帯端末用ケースは、合成ゴムの片面又は両面に布地を貼り合せた多層構造の生地からなることを特徴とする請求項1から請求項３のいずれか1項に記載の携帯端末用ケース。
【請求項５】
前記携帯端末用ケースには、カラビナが備え付けられていることを特徴とする請求項1から４のいずれか1項に記載の携帯端末用ケース。
【考案の詳細な説明】
【技術分野】
【０００１】
本考案は、携帯端末機を収納して携行できる携帯端末用ケースに関するものである。
【背景技術】
【０００２】
従来、携帯端末機を収納して携行できる携帯端末用ケースは、皮製や合成被皮製の袋状のケース、或いは金属性や木製、樹脂製のフレームで携帯端末機周辺をプロテクトする構造が知られている。
【特許文献１】特開平１１−１６９８２０号
【考案の開示】
【考案が解決しようとする課題】
【０００３】
しかしながら、従来の携帯端末用ケースの構造では、素早い取り出しと収納が出来るとはいえず、意匠的にはお洒落でも実用的なものではなかった。
【０００４】
本考案は、上記問題を解決するため成されたもので、素早い取り出しと収納を可能にし、更に携帯端末を保護と共に携行できる携帯端末用ケースを提供する。
【課題を解決するための手段】
【０００５】
端末用ケース背面の高さを前面より高し、携帯端末挿入口の前方側が後方側よりも低くなる設計にする。また、背面に携帯端末挿入口を覆うふた部又はベルト部を連接する。そして、合成ゴムの片面又は両面に布地を貼り合せた多層構造の生地を用いて携帯端末用ケースを成形する。更に携帯端末用ケースに、カラビナを備える。
【考案の効果】
【０００６】
請求項１に記載の考案によれば、携帯端末を背面の内側に押し当てることで、容易に収納することが出来る。
【０００７】
請求項２に記載の考案によれば、収納した携帯端末の飛び出しを防止出来る。
【０００８】
請求項３に記載の考案によれば、収納した携帯端末の飛び出しを防止出来ると共に、露出した携帯端末部分を確認することが出来る。
【０００９】
請求項４に記載の考案によれば、軽くて、携帯端末にフィットした感覚で収納することが出来る。
【００１０】
請求項５に記載の考案によれば、カラビナを、衣服やバッグ等の持ち物に保持することが出来る。
【考案を実施するための最良の形態】
【００１１】
携帯端末用ケース背面の高さを前面より高くし、携帯端末挿入口の前方側が後方側よりも低くなるケース設計にする。また、背面に携帯端末挿入口を覆うふた部又はベルト部を連接する。そして、合成ゴムの片面又は両面に布地を貼り合せた多層構造の生地を用いて携帯端末用ケースを成形する。更に携帯端末用ケースに、カラビナを備える。
【実施例１】
【００１２】
以下、図面を参照して本考案に係る携帯端末用ケースの実施例を説明する。
【００１３】
図１は、本考案の開口タイプの携帯端末用ケースを示した図である。図２は、本考案の開口タイプの携帯端末用ケースに携帯端末を収納した様子図である。図３は、本考案のふた部を備えた携帯端末用ケースを示した図である。図４は、本考案のふた部を備えた携帯端末用ケースのふた部を開けた状態を示す図である。図５は、本考案のベルト部を備えた携帯端末用ケースを示した図である。図６は、本考案の携帯端末用ケースに使用する伸縮性のある合成ゴムの片面又は両面に布地を貼り合せた多層構造の生地の断面図である。
【００１４】
まず、袋状の携帯端末用ケースを成形するにあたり、図１、図２のように背面５の高さを前面６より高くし、携帯端末挿入口の前方側が後方側よりも低くなるよう設計する。
【００１５】
このように前面６の高さを低くすることで、背面５の内側面が露出することになり、この露出面に携帯端末を軽く押し当てることで、容易に挿入口が開き、そのまま押し込んで収納することができる。
【００１６】
そして、携帯端末用ケースは、図６のように伸縮性のある合成ゴム１１の片面又は両面に布地１２を貼り合せた多層構造の生地を使用することで、市販の携帯端末の寸法より少しタイトに設計しても、携帯端末を収納すれば、中でぐらつくことなくフィットした状態で保持することができる。
【００１７】
最後に、背面部に連結帯３を介してカラビナ２を取り付けることで、腰周りやバッグの取っ手などに引っ掛けて使用することが出来る。
【実施例２】
【００１８】
このままでも、考案が抱える課題を解決するものであるが、収納した携帯端末が不意に飛び出さない手段として、背面に携帯端末挿入口を覆うふた部を連接したものが図３、図４である。
【００１９】
このふた部は、背面生地がそのまま延長されて成形されても良いし、別素材を接合して成形されても良い。
【００２０】
また、ふた部が、面ファスナー８やスナップを用いてケース本体と着脱可能にすることで一層飛び出しを防ぐと共に、意匠性も高めることが出来る。
【実施例３】
【００２１】
さらに、収納した携帯端末が不意に飛び出さない手段として、背面にベルト部９を連接したものが図５である。
【００２２】
このベルト部は、背面生地がそのまま延長されて成形されても良いし、別素材を接合して成形されても良い。
【００２３】
また、ベルト部９が、ケース本体と着脱可能になるよう面ファスナーやスナップを用いることで一層飛び出しを防ぐと共に、意匠性も高めることが出来る。
【００２４】
なお、携帯端末用ケースの表面に花柄、豹柄、縞柄、文字等をあしらう事によりオリジナルのデザインで楽しむことが出来る。
【００２５】
このように、好ましい実施例を挙げて本考案を説明したが、本考案はその実施例に限定されるものではなく、本考案の要旨の範囲内で種々に改変できる。
【図面の簡単な説明】
【００２６】
【図１】本考案の開口タイプの携帯端末用ケースを示した図である。
【図２】本考案の開口タイプの携帯端末用ケースに携帯端末を収納した様子図である。
【図３】本考案のふた部を備えた携帯端末用ケースを示した図である。
【図４】本考案のふた部を備えた携帯端末用ケースのふた部を開けた状態を示す図である。
【図５】本考案のベルト部を備えた携帯端末用ケースを示した図である。
【図６】本考案の携帯端末用ケースに使用する伸縮性のある合成ゴムの片面又は両面に布地を貼り合せた多層構造の生地の断面図である。
【符号の説明】
【００２７】
１  携帯端末用ケース
２  カラビナ
３  連結帯
５  背面
６  前面
８  ファスナー
９  ベルト部
１１  合成ゴム
１２  布地
【図１】
0003171775.tif 000003
【図２】
0003171775.tif 000004
【図３】
0003171775.tif 000005
【図４】
0003171775.tif 000006
【図５】
0003171775.tif 000007
【図６】
0003171775.tif 000008